(57)【要約】【課題】破損しにくいスイッチユニットを提供する。【解決手段】フレキシブル基板２１の表面に回路パターン３１を形成する。基板用スペーサ２３を介してフレキシブル基板２１の表面に操作銘板２２を取り付ける。基板用スペーサ２３の基端縁に突出片部３６を設ける。突出片部３６をフレキシブル基板２１の素子配置部２６の表面の基端側に固定する。突出片部３６を操作銘板２２の裏面に対して自由端とする。素子配置部２６を裏面側に向けて鋭角に折り曲げる。素子配置部２６とともに突出片部３６が操作銘板２２から離れて屈曲する。素子配置部２６の基端側が突出片部３６により極端に急な角度で屈曲しない。素子配置部２６が折れにくくなり破損しにくくなる。【選択図】        図１
2004192856.tif 000002
【特許請求の範囲】
【請求項１】
少なくとも一主面に回路パターンが設けられた基板と、
この基板の一主面に取り付けられる支持体と、
この支持体を介して前記基板の一主面に取り付けられて、前記回路パターンを覆う薄膜体とを具備し、
前記支持体の端部には、前記基板の一主面に固定されてこの基板とともに屈曲され、前記薄膜体に対して自由端とされた屈曲支持部が設けられている
ことを特徴とした電気機器。
【請求項２】
基板の一主面には、電気素子が設けられ、
屈曲支持部は、支持体を介して前記基板に薄膜体を取り付けた際に、前記電気素子を有さない部分に設けられている
ことを特徴とした請求項１記載の電気機器。
【請求項３】
電動送風機を収容した掃除機本体と、
この掃除機本体に取り付けられ、前記電動送風機の吸込側に連通する筒状のホース体と、
このホース体に設けられた請求項１または２記載の電気機器と
を具備したことを特徴とした電気掃除機。
【発明の詳細な説明】
【０００１】
【発明の属する技術分野】
本発明は、回路パターンが設けられた基板を備えた電気機器に関する。
【０００２】
【従来の技術】
従来、この種の電気機器としてのスイッチユニットは、細長平板状の硬質な回路基板としてのフレキシブル基板を備えている。そして、このフレキシブル基板の一主面である表面には、回路パターンが設けられているとともに、この回路パターンを電気的にオンオフされるスイッチ素子が複数設けられている。そして、これらスイッチ素子は、フレキシブル基板の長手方向に沿って離間されて並設されている。
【０００３】
また、フレキシブル基板の表面には、可撓性を有するシート状の薄膜体としての操作銘板が取り付けられている。そして、この操作銘板には、各スイッチ素子に対応して表面側に向けてドーム状に膨出し、これら各スイッチ素子のオンオフ操作を可能とする操作部としてのエンボス部が設けられている。
【０００４】
さらに、フレキシブル基板の長手方向における基端部には、このフレキシブル基板の裏面側に向けて鋭角に折り曲げられて屈曲された平板状の接続片部が一体的に設けられている。この接続片部の表面には、フレキシブル基板のスイッチ素子のオンオフ操作により、電気的にオンオフされる対をなすリード線それぞれの一端部が接続されている（例えば、特許文献１参照。）。
【０００５】
【特許文献１】
特開平０８−１６４１０４号公報（第４−５頁、図１および図２）
【０００６】
【発明が解決しようとする課題】
しかしながら、上述したスイッチユニットでは、硬質なフレキシブル基板に対して接続片部が裏面側に向けて鋭角に折り曲げられて構成されている。このため、このスイッチユニットを取り付ける際にリード線が引っ張られるなどされると、接続片部の基端部に曲げの応力が集中して働いてしまい、この接続片部がフレキシブル基板に対して折れやすい。よって、この接続片部がフレキシブル基板に対して破損してしまうおそれがあるという問題を有している。
【０００７】
本発明は、このような点に鑑みなされたもので、破損しにくい電気機器および電気掃除機を提供することを目的とする。
【０００８】
【課題を解決するための手段】
本発明の電気機器は、少なくとも一主面に回路パターンを設けた基板と、この基板の一主面に取り付けられる支持体と、この支持体を介して基板の一主面に取り付けられて回路パターンを覆う薄膜体とを具備し、基板の一主面に固定されてこの基板とともに屈曲され、薄膜体に対して自由端とされた屈曲支持部を支持体の端部に設けたものである。そして、基板の屈曲支持部に対向した側を、この基板の他主面側に向けて折り曲げることにより、この基板とともに屈曲支持部が薄膜体から離れて屈曲する。よって、この基板の屈曲支持部に対向した側が、この屈曲支持部により折れにくくなり破損しにくくなる。
【０００９】
【発明の実施の形態】
以下、本発明の電気掃除機の第１の実施の形態の構成を図１ないし図５を参照して説明する。
【００１０】
図１ないし図５において、１は機器本体としての掃除機本体で、この掃除機本体１の内部は、電動送風機２が収容されている。また、この掃除機本体１は、電動送風機２の駆動にて生じる吸込風とともに吸い込んだ塵埃を、着脱可能な図示しない集塵パックにて集塵する。さらに、この掃除機本体１の内部には、電動送風機２の駆動状態を制御する図示しない制御手段が収容されている。
【００１１】
また、この掃除機本体１の後側下面には、電動送風機２へと電力を供給してこの電動送風機２を駆動させるプラグ部７がコード部８を介して収容可能に導出している。このプラグ部７は、図示しない壁面に設けた外部電力供給口としてのコンセント部に取り外し可能に接続されて、このコンセント部を介して外部電力を電動送風機２へと供給する。
【００１２】
さらに、掃除機本体１の前側略中央には、外部から空気を吸い込む本体吸込口９が開口されている。この本体吸込口９は、電動送風機２の吸込側に気密に連通されている。また、この本体吸込口９には、湾曲可能な細長略円筒状の接続管としてのホース体１１の基端側が気密に連通接続されている。このホース体１１の先端側には、電動送風機２の動作モードなどが選択可能な手許操作部１２が設けられている。この手許操作部１２には、掃除する際に作業者が把持する把持部１４が基端側に向けて屈曲されて突設されている。
【００１３】
この把持部１４の上側の表面には、掃除機本体１内の電動送風機２などの駆動状態を所定の状態に設定する電気機器としてのスイッチ機構であるスイッチユニット１３が取り付けられている。また、手許操作部１２の先端には、伸縮可能な細長略円筒状の延長管１５が着脱可能に連通接続されている。この延長管１５の先端には、例えば室内の床面の絨毯などの上に設置させて、この絨毯上の塵埃を吸い込む吸込口体としての床ブラシ１６が着脱可能に連通接続されている。
【００１４】
一方、ホース体１１の把持部１４の基端側の上面には、上方に向けて開口した取付凹部としての細長略溝状のスイッチ取付部１７が設けられている。このスイッチ取付部１７は、ホース体１１の軸方向に長手方向を沿わせた状態で取り付けられている。また、このスイッチ取付部１７には、細長略矩形平板状のスイッチユニット１３が取り付けられている。このスイッチユニット１３は、図１ないし図４に示すように、薄膜基板としてのプリント基板である硬質なフレキシブル基板２１と、薄膜体としての操作銘板２２とが、支持体としての基板用スペーサ２３を介して一体的に貼り合わされて層構造とされたスイッチ兼用操作銘板である。
【００１５】
そして、フレキシブル基板２１は、可撓性を有するフレキシブルな細長矩形平板状の基板本体２４を備えている。この基板本体２４の長手方向における基端側には、複数、例えば４個の電気素子としての信号生成素子である抵抗素子２５が一主面としての表面に実装された離出部としての接続片部である素子配置部２６が一体的に設けられている。
【００１６】
ここで、この素子配置部２６は、図３および図４に示すように、基板本体２４の他主面としての裏面側に向けて基端部が幅方向に沿って折り曲げられて、この基板本体２４に対して鋭角に屈曲される。ここで、この素子配置部２６は、基板本体２４の長手方向に対して垂直である幅方向に沿って折り曲げられている。よって、この素子配置部２６の折り曲げ方向は、スイッチユニット１３をホース体１１のスイッチ取付部１７に取り付けた状態で、このホース体１１の軸方向である移動方向、すなわち前後方向に沿っている。
【００１７】
さらに、この素子配置部２６の裏面には、この素子配置部２６に実装される各抵抗素子２５を支持する部品支持体としての平板状の支持片部３０が貼り付けられて取り付けられている。なお、各抵抗素子２５は、素子配置部２６の幅方向における両側部に長手方向に沿って離間されて取り付けられている。
【００１８】
また、この基板本体２４の表面には、対をなす電極としての固定接点２７が複数、例えば３対、この基板本体２４の長手方向に沿って直線的にパターン形成されている。ここで、これら対をなす固定接点２７それぞれの一方は、略円形状の中心域接点部２８にて構成されている。また、これら対をなす固定接点２７それぞれの他方は、中心域接点部２８の外周を周方向に沿って覆うように、これら中心域接点部２８の外周縁から離間された略環状の外周域接点部２９にて構成されている。
【００１９】
さらに、これら中心域接点部２８および外周域接点部２９は、基板本体２４の表面にパターン形成された導電性を有する回路パターン３１により素子配置部２６の抵抗素子２５を介して電気的に接続されている。そして、これら抵抗素子２５は、素子配置部２６の基端縁に取り付けられてフレキシブル基板２１の基端側へと導出された対をなす伝送線としてのリード線３２，３３に回路パターン３１を介して設けられている。
【００２０】
一方、基板用スペーサ２３は、例えばポリエチレンテレフタレートやポリイミドなどにて成形されて可撓性を有している。また、この基板用スペーサ２３は、フレキシブル基板２１の外形に略一致した幅寸法および長手寸法を有したスペーサ本体３５を備えている。このスペーサ本体３５は、フレキシブル基板２１の表面側に貼り付けられて固定されている。
【００２１】
また、このスペーサ本体３５の長手方向における縁部である一端部としての基端部には、屈曲支持部としての矩形平板状の突出片部３６がスペーサ本体３５に対して一体的に設けられている。この突出片部３６は、スペーサ本体３５の表面および裏面のそれぞれに対して面一に形成されている。また、この突出片部３６は、フレキシブル基板２１の素子配置部２６の幅寸法に等しい幅寸法を有している。さらに、この突出片部３６は、素子配置部２６の基端縁から、この素子配置部２６に実装された基端側の抵抗素子２５の端部までの長さ寸法に等しい長さ寸法を有している。
【００２２】
よって、この突出片部３６は、フレキシブル基板２１の素子配置部２６の長さ寸法よりも小さい長さ寸法を有しているとともに、このフレキシブル基板２１の素子配置部２６の基端側を裏面側に向けて屈曲させた際における、曲げの開始位置から終了位置までに亘って、この素子配置部２６の基端側の表面に貼り付けられて固定されている。
【００２３】
そして、この突出片部３６は、フレキシブル基板２１の素子配置部２６の表面側に貼り付けられて固定されているとともに、操作銘板２２の裏面に対して固定されておらず自由端とされている。よって、この突出片部３６は、操作銘板２２から離れる方向である裏面側に向けて、フレキシブル基板２１の素子配置部２６を折り曲げた際に応力の集中を防止して破断しにくくしている。
【００２４】
すなわち、この突出片部３６は、図３および図４に示すように、フレキシブル基板２１の素子配置部２６の基端縁を基板本体２４に対して裏面側に向けて鋭角に折り曲げて、この素子配置部２６を基板本体２４に対して屈曲させた際に、操作銘板２２の裏面から離れて、素子配置部２６とともにフレキシブル基板２１の裏面側に向けて一緒に折り曲げられ、この素子配置部２６への応力による基板本体２４に対する折れや切れなどの破損を防止する。
【００２５】
さらに、このスペーサ本体３５の中央部には、矩形状の位置決め孔としての可動接点収容穴３７が、各固定接点２７に対応して複数、例えば３個設けられている。これら可動接点収容穴３７は、基板用スペーサ２３をフレキシブル基板２１の表面に貼り付けた際に、このフレキシブル基板２１の回路パターン３１の一部である各固定接点２７の中心域接点部２８および外周域接点部２９の内周域のそれぞれを露出させる。
【００２６】
また、これら可動接点収容穴３７は、基板用スペーサ２３の厚さ方向に向けて貫通している。さらに、これら可動接点収容穴３７は、可動接点体４１における互いに直交する幅寸法および長手寸法に略一致した幅寸法および長手寸法を有している。
そして、これら可動接点収容穴３７それぞれの間には、基板用スペーサ２３の長手方向に沿った細長溝状の通気切溝部３８がそれぞれ設けられている。これら通気切溝部３８は、基板用スペーサ２３の厚さ方法に向けて貫通しており、各可動接点収容穴３７間を連通させている。
【００２７】
さらに、これら各可動接点収容穴３７には、基板用スペーサ２３をフレキシブル基板２１の表面に貼り付けた状態で、チップ状の可動接点体４１がそれぞれ収容されている。これら可動接点体４１は、フレキシブル基板２１の固定接点２７の外周域接点部２９に電気的に接続され、かつこれら固定接点２７の中心域接点部２８に通常時は電気的に接触可能に開放される。
【００２８】
また、これら可動接点体４１は、基板用スペーサ２３の可動接点収容穴３７に収容させた際に、この可動接点収容穴３７の各角部近傍の内側面により水平方向に向けて各角部が位置決めされる。さらに、これら可動接点体４１は、各辺の中央部が凹弧状に切り欠かれ裏面側に向けて略球面状に膨出した略矩形平板状の膨出部としての本体部４２を備えている。この本体部４２は、ばね性を有しており、フレキシブル基板２１に貼り付けた基板用スペーサ２３の可動接点収容穴３７に収容した際に、このフレキシブル基板２１の固定接点２７に反した方向に向けて膨出しており、この本体部４２の法線方向に沿って弾性変形可能に湾曲している。
【００２９】
さらに、この本体部４２の各角部には、これら各角部を同一方向、すなわち裏面側に向けて略直角に屈曲させた後、これら各角部それぞれの先端を外側に向けて屈曲させて形成された脚部４３がそれぞれ設けられている。これら脚部４３それぞれは、フレキシブル基板２１に貼り付けた基板用スペーサ２３の可動接点収容穴３７に可動接点体４１を収容した際に、このフレキシブル基板２１の固定接点２７の外周域接点部２９に設置されて、この外周域接点部２９に常時電気的に接続される。
【００３０】
また、これら可動接点体４１の本体部４２の中間部である中央部には、この本体部４２の裏面側に向けて凸弧状に突出した小径の接触突部４４が設けられている。この接触突部４４は、フレキシブル基板２１に貼り付けた基板用スペーサ２３の可動接点収容穴３７に可動接点体４１を収容した際に、この可動接点体４１の各脚部４３の同一方向であるフレキシブル基板２１の固定接点２７側に向けて突出する。さらに、この接触突部４４は、固定接点２７の中心域接点部２８に対する開放状態が基板用スペーサ２３の可動接点収容穴３７により保持されている。
【００３１】
そして、この接触突部４４は、フレキシブル基板２１に貼り付けた基板用スペーサ２３の可動接点収容穴３７に可動接点体４１を収容した状態で、この可動接点体４１の本体部４２を押圧して折り曲げてこの本体部４２の湾曲を反転させた際に、フレキシブル基板２１の固定接点２７の中心域接点部２８の中央部に接触して、この中心域接点部２８に電気的に接続される。
【００３２】
また、この接触突部４４は、可動接点体４１の本体部４２を押圧して湾曲を反転させた状態から、この本体部４２の押圧を止めることにより、この本体部４２自体の弾性力にてこの本体部４２の湾曲の反転が解除されて、フレキシブル基板２１の固定接点２７の中心域接点部２８から離れ、この中心域接点部２８への電気的な接続が解除される。
【００３３】
一方、操作銘板２２は、例えばポリエチレンテレフタレートやポリイミドなどにより可撓性を有するフィルム状に形成されている。また、この操作銘板２２は、フレキシブル基板２１の外径より大きい寸法の略楕円平板状、すなわちスイッチ取付部１７に対応した形状である。さらに、この操作銘板２２には、一主面である表面側に向けて略球面状に膨出した操作部としての膨出部であるエンボス部５１が、フレキシブル基板２１の各固定接点２７に対応して複数、例えば３つ設けられている。
【００３４】
ここで、これらエンボス部５１それぞれの中心部は、操作銘板２２をフレキシブル基板２１の表面に取り付けた際に、このフレキシブル基板２１の各固定接点２７の中心域接点部２８および可動接点体４１の接触突部４４のそれぞれに対応して同心状に位置する。そして、これらエンボス部５１の表面には、各固定接点２７の中心域接点部２８と外周域接点部２９とを電気的に導通させることによる電動送風機２の駆動状態の内容を表示する操作表示部５２が印刷形成されている。
【００３５】
さらに、操作銘板２２の他主面である裏面側の外周部には、基板用スペーサ２３のスペーサ本体３５の外形に略一致した細長矩形状の挿通開口５４が中央に開口された平板状のセパレータ５５が貼り付けられて取り付けられている。このセパレータ５５は、スイッチユニット１３をスイッチ取付部１７に取り付けた際に操作銘板２２を補強して、この操作銘板２２の湾曲や屈曲などを防止する。また、このセパレータ５５の挿通開口５４の長手方向における一端縁には、基板用スペーサ２３の突出片部３６の外形に略一致した形状である凹状の取付凹部５６が形成されている。
【００３６】
そして、フレキシブル基板２１の表面に貼り付けられ各可動接点収容穴３７に可動接点体４１が収容された基板用スペーサ２３の表面を、セパレータ５５が裏面に貼り付けられた操作銘板２２の裏面に貼り付けることによりスイッチユニット１３が構成される。このとき、基板用スペーサ２３のスペーサ本体３５がセパレータ５５の挿通開口５４に嵌合されるとともに、このセパレータ５５の取付凹部５６に基板用スペーサ２３の突出片部３６が嵌合される。
【００３７】
また、スイッチユニット１３には、フレキシブル基板２１の固定接点２７と操作銘板２２の可動接点体４１とにより常開型のスイッチ素子としての設定ボタン５７が複数、例えば３つ構成される。したがって、これら設定ボタン５７は、スイッチユニット１３のフレキシブル基板２１の表面に設けられている。
【００３８】
次に、上記第１の実施の形態の組み立て動作を説明する。
【００３９】
まず、フレキシブル基板２１の素子配置部２６の表面に抵抗素子２５を実装するとともに、この素子配置部２６の表面の基端域にリード線３２，３３を半田付けなどにて取り付けて、これらリード線３２，３３を回路パターン３１の所定の位置に電気的に接続する。
【００４０】
次いで、フレキシブル基板２１の各固定接点２７の中心域接点部２８および外周域接点部２９のそれぞれが、基板用スペーサ２３の各可動接点収容穴３７にてそれぞれ露出されるように、この基板用スペーサ２３の裏面をフレキシブル基板２１の表面に貼り付ける。
【００４１】
さらに、操作銘板２２の外縁にセパレータ５５の外縁を一致させて、このセパレータ５５を操作銘板２２の裏面に貼り付ける。
【００４２】
この後、基板用スペーサ２３の各可動接点収容穴３７のそれぞれに、可動接点体４１の脚部４３を向かい合わせた状態で、これら可動接点体４１を基板用スペーサ２３の表面側から収容させる。
【００４３】
このとき、これら各可動接点体４１の脚部４３のそれぞれは、固定接点２７の外周域接点部２９に設置してこの外周域接点部２９にそれぞれが電気的に接続される。また、これら各可動接点体４１の接触突部４４のそれぞれは、これら各可動接点体４１の本体部４２による湾曲により、固定接点２７の中心域接点部２８に電気的に接触可能に開放維持される。
【００４４】
この状態で、操作銘板２２の裏面に貼り付けたセパレータ５５の挿通開口５４に基板用スペーサ２３のスペーサ本体３５を嵌合させるとともに、この基板用スペーサ２３の突出片部３６をセパレータ５５の取付凹部５６に嵌合させつつ、この基板用スペーサ２３の突出片部３６以外の部分、すなわちこの基板用スペーサ２３のスペーサ本体３５の部分の表面のみを操作銘板２２の裏面に貼り付けて、スイッチユニット１３を形成する。
【００４５】
この後、ホース体１１の手許操作部１２のスイッチ取付部１７に、スイッチユニット１３の各リード線３２，３３を挿入させた後、このスイッチユニット１３の裏面をスイッチ取付部１７に貼り付ける。
【００４６】
この状態で、スイッチユニット１３のフレキシブル基板２１の素子配置部２６を基板用スペーサ２３の突出片部３６とともに、この基板用スペーサ２３の基板本体２４に対して裏面側に向けて鋭角に屈曲させて、素子配置部２６の基端部を突出片部３６とともに裏面側に折り曲げる。
【００４７】
そして、このスイッチユニット１３のリード線３２，３３を、ホース体１１の内部に配設された図示しない伝送線などを介して、掃除機本体１内の制御手段に電気的に接続させる。
【００４８】
次に、上記第１の実施の形態の掃除動作を説明する。
【００４９】
まず、掃除機本体１から引き出したプラグ部７を壁面のコンセント部に接続した状態で、ホース体１１の把持部１４を把持しつつ、このホース体１１のスイッチユニット１３の所定の設定ボタン５７を押す。
【００５０】
すると、このスイッチユニット１３の操作銘板２２のエンボス部５１が凹み、このエンボス部５１の裏面側に位置する基板用スペーサ２３の可動接点収容穴３７に収容された可動接点体４１の本体部４２が押圧されて、この本体部４２が弾性変形しこの本体部４２の膨出方向が反転する。
【００５１】
このとき、この本体部４２の湾曲の反転により、この本体部４２の接触突部４４が、フレキシブル基板２１上の固定接点２７の中心域接点部２８に電気的に接触し、この可動接点体４１の接触突部４４および脚部４３を介して固定接点２７の中心域接点部２８と外周域接点部２９との間が閉成されて、これら中心域接点部２８および外周域接点部２９間に電流が流れる。
【００５２】
また、設定ボタン５７の押圧を止めると、可動接点体４１の本体部４２による弾性変形が解除されて、この本体部４２自体が有するばね性によりこの本体部４２の膨出方向が反転する。
【００５３】
この結果、このスイッチユニット１３の操作銘板２２のエンボス部５１の凹みが解除されるとともに、この本体部４２の接触突部４４による固定接点２７の中心域接点部２８への電気的な接触が解除されて、この固定接点２７の中心域接点部２８と外周域接点部２９との間が開成される。
【００５４】
このとき、この固定接点２７の中心域接点部２８と外周域接点部２９との間に流れた電流値が、この固定接点２７に電気的に接続された抵抗素子２５により可変されて、この抵抗素子２５にて可変された電流がリード線３２，３３を介して制御手段に入力される。
【００５５】
そして、この制御手段に入力された電流の値に基づいて、この制御手段が電動送風機２に供給する電流を制御しつつ、この電動送風機２を駆動させる。
【００５６】
すると、床ブラシ１６の先端から空気とともに塵埃が吸い込まれる。そして、この塵埃を含んだ吸込風は、床ブラシ１６から延長管１５およびホース体１１を順次通過した後、掃除機本体１の本体吸込口９へと導かれて、この掃除機本体１内に収容された集塵パックへと送られる。
【００５７】
このとき、この集塵パック内へと送られた吸込風に漂う塵埃は、この集塵パックを通過する際に、この集塵パックにて捕捉されて集塵される。
【００５８】
さらに、この集塵パックを通過した吸込風は、電動送風機２へと吸気されて排気風となり、掃除機本体１の外部へと排気される。
【００５９】
上述したように、上記第１の実施の形態では、基板用スペーサ２３の基端部に突出片部３６を一体的に突出させ、この突出片部３６をフレキシブル基板２１の素子配置部２６の表面の基端側に貼り付けて固定させるとともに、この突出片部３６を操作銘板２２の裏面に対して固定せずに自由端とした。
【００６０】
このため、これらフレキシブル基板２１、操作銘板２２および基板用スペーサ２３を備えたスイッチユニット１３を、ホース体１１のスイッチ取付部１７に取り付ける際に、このスイッチユニット１３のフレキシブル基板２１の素子配置部２６の基端側を、このフレキシブル基板２１の裏面側に向けて鋭角に折り曲げる。
【００６１】
すると、このフレキシブル基板２１の素子配置部２６とともに基板用スペーサ２３の突出片部３６が操作銘板２２の裏面から離れて一体的に屈曲する。よって、この基板用スペーサ２３の突出片部３６による一体的な屈曲によって、フレキシブル基板２１の素子配置部２６の基端側が屈曲しにくくなるとともに、基板用スペーサ２３の突出片部３６の弾性を用いることにより、フレキシブル基板２１の素子配置部２６の基端側が極端に急な角度で屈曲しなくなる。このため、この素子配置部２６の基端側を屈曲させた際に生じる、この素子配置部２６の基端側への亀裂などの発生を防止できるので、この素子配置部２６の基端側を折れにくくできる。
【００６２】
よって、基板用スペーサ２３が有する曲げやすい特性を生かしつつ、フレキシブル基板２１の素子配置部２６を折り曲げて、ホース体１１のスイッチ取付部１７に取り付ける際に生じ得る、このフレキシブル基板２１の素子配置部２６の表面に形成された回路パターン３１の破断を簡単な構成でより確実に防止できる。
【００６３】
さらには、ホース体１１の把持部１４を把持して、このホース体１１を前後方向に交互に移動させた際や、このホース体１１を落下させた際などに生じる、基板用スペーサ２３の素子配置部２６の屈曲させた基端側に集中して掛かる応力や衝撃などを、基板用スペーサ２３の突出片部３６の一体的な屈曲によって小さくできるから、この際に生じる素子配置部２６の基端側への負担を小さくできる。
【００６４】
したがって、ホース体１１の把持部１４を把持して前後移動させることによる、素子配置部２６の表面に形成された回路パターン３１の破断をも簡単な構成で確実に防止できる。このため、このホース体１１のスイッチ取付部１７に取り付けたスイッチユニット１３の操作が可能である寿命をより向上できるので、このホース体１１を備えた電気掃除機の使用可能寿命をより向上できる。
【００６５】
次に、本発明の第２の実施の形態を図６を参照して説明する。
【００６６】
この図６に示す基板用スペーサ２３は、基本的には図１ないし図５に示すスイッチユニット１３の基板用スペーサ２３と同様であるが、突出片部３６の先端縁からさらに細長平板状の屈曲支持部としての支持片部６１を一体的に設けたものである。
【００６７】
そして、この支持片部６１は、突出片部３６の先端縁の幅方向における中央部から、基板用スペーサ２３の長手方向に沿って突出している。また、この支持片部６１は、フレキシブル基板２１の素子配置部２６に実装された抵抗素子２５間の幅寸法に等しい幅寸法を有している。さらに、この支持片部６１は、素子配置部２６の基端側に実装された抵抗素子２５の基端縁から、この素子配置部２６の先端縁までの長さ寸法に等しい長さ寸法を有している。
【００６８】
このため、この支持片部６１は、フレキシブル基板２１の表面に基板用スペーサ２３を貼り付けた際に、このフレキシブル基板２１の素子配置部２６に実装された抵抗素子２５に対向しないように、これら抵抗素子２５を避けた位置、すなわちこれら抵抗素子２５を有さない部分に設けられている。より具体的に、この支持片部６１は、フレキシブル基板２１の表面に基板用スペーサ２３を貼り付けた際に、このフレキシブル基板２１の素子配置部２６の幅方向における両側に実装された抵抗素子２５間から、この素子配置部２６に取り付けられたリード線３２，３３間までに亘って貼り付けられて固定されている。
【００６９】
したがって、この図６に示す基板用スペーサ２３は、フレキシブル基板２１の素子配置部２６の基端側を裏面側に向けて鋭角に折り曲げることにより、この素子配置部２６とともに基板用スペーサ２３の突出片部３６が操作銘板２２の裏面から離れて一体的に屈曲するので、図１ないし図５に示す基板用スペーサ２３と同様の作用効果を奏することができる。
【００７０】
さらに、基板用スペーサ２３の支持片部６１を、フレキシブル基板２１の素子配置部２６の抵抗素子２５間およびリード線３２，３３間に貼り付けたことにより、フレキシブル基板２１の素子配置部２６の基端側を裏面側に向けて鋭角に折り曲げた際に、この素子配置部２６とともに基板用スペーサ２３の突出片部３６および支持片部６１のそれぞれが操作銘板２２の裏面から離れて一体的に屈曲する。
【００７１】
このため、基板用スペーサ２３の基端部に突出片部３６のみを設けた場合に比べ、基板用スペーサ２３の突出片部３６の先端縁に設けた支持片部６１によって、フレキシブル基板２１の素子配置部２６の基端側が極端に急な角度でより屈曲しなくなる。したがって、この素子配置部２６の基端側を屈曲させた際に生じる、この素子配置部２６の基端側への亀裂などの発生をより防止できる。よって、この素子配置部２６を備えたフレキシブル基板２１の破損を簡単な構成でより確実に防止できる。
【００７２】
さらに、フレキシブル基板２１の表面に基板用スペーサ２３を貼り付けた際に、フレキシブル基板２１の素子配置部２６に実装された抵抗素子２５に基板用スペーサ２３の支持片部６１が対向しないように各抵抗素子２５を避けた位置に設けた。このため、この支持片部６１をフレキシブル基板２１の素子配置部２６の表面に確実に貼り付けて固定できる。
【００７３】
あるいは、この支持片部６１を抵抗素子２５の表面に貼り付けて固定させた場合には、これら支持片部６１および素子配置部２６を裏面側に向けて折り曲げた際に生じる各抵抗素子２５へと働くフレキシブル基板２１の長手方向に沿った方向の外力の発生を防止できる。よって、素子配置部２６とともに支持片部６１を裏面側に向けて折り曲げた際に生じ得る、各抵抗素子２５による素子配置部２６の表面からの抜けや外れなどを防止できる。
【００７４】
なお、上記各実施の形態では、キャニスタ型の電気掃除機のホース体１１に取り付けられるスイッチユニット１３とされた電気機器について説明したが、アップライト型あるいはスティック型などのいずれの電気掃除機、さらには電気掃除機以外の装置に対応させたスイッチユニット１３や、このスイッチユニット１３以外の回路パターン３１が形成された電気機器などであっても、上記各実施の形態と同様の作用効果を奏することができる。
【００７５】
また、基板用スペーサ２３の突出片部３６を、この基板用スペーサ２３のスペーサ本体３５の基端部から突出させるとともに、この突出片部３６の幅寸法をスペーサ本体３５の幅寸法より小さくしたが、この突出片部３６にてフレキシブル基板２１の素子配置部２６の基端側を覆うことができれば、この突出片部３６をスペーサ本体３５から突出させずに、この突出片部３６の幅寸法をスペーサ本体３５の幅寸法と等しくしてもよい。
【００７６】
【発明の効果】
本発明によれば、基板の屈曲支持部に対向した側を、この基板の他主面側に向けて折り曲げることにより、この基板とともに屈曲支持部が薄膜体から離れて屈曲するので、この基板の屈曲支持部に対向した側がこの屈曲支持部により折れにくくなるから、この基板を破損しにくくできる。
【図面の簡単な説明】
【図１】本発明の電気機器の第１の実施の形態を示す分解斜視図である。
【図２】同上電気機器を示す側面図である。
【図３】同上電気機器の基板を折り曲げた状態を示す側面図である。
【図４】同上電気機器がホース体に取り付けられた状態を示す一部を切り欠いた側面図である。
【図５】同上ホース体を備えた電気掃除機を示す斜視図である。
【図６】本発明の第２の実施の形態の電気機器の一部を示す斜視図である。
【符号の説明】
１    掃除機本体
２    電動送風機
１１    ホース体
１３    電気機器としてのスイッチユニット
２１    基板としてのフレキシブル基板
２２    薄膜体としての操作銘板
２３    支持体としての基板用スペーサ
２５    電気素子としての抵抗素子
３１    回路パターン
３６    屈曲支持部としての突出片部
６１    屈曲支持部としての支持片部
【図１】
2004192856.tif 000003
【図２】
2004192856.tif 000004
【図３】
2004192856.tif 000005
【図４】
2004192856.tif 000006
【図５】
2004192856.tif 000007
【図６】
2004192856.tif 000008